(57)【要約】【課題】電子写真用感光ドラムの製造工程において、感光ドラム基体と、これを保持する保持具とが、感光ドラム基体装着時にこすれて生じる削りくずを低減する。【解決手段】保持具１０は、台座１４と、台座１４に載置され、その載置面１６上を移動可能に保持される支持柱１８を含む。支持柱は、下部に半径方向外側に延びる三つの脚部２８を有し、台座には、台座と共に脚部を挟んで保持する保持部３４を有する保持リング２０が設けられている。保持リングには、周方向３カ所に脚部を受け入れるために、保持部を切り欠いて、受入部３６が形成されている。支持柱は、受入部に脚部を挿入後、回転させることにより、台座に保持された状態となる。脚部先端面４８と保持リング内周面５０の間には隙間があり、これにより支持柱の移動が許容される。感光ドラム基体１２を装着するとき、芯ズレがあっても、支持柱１８が移動してこれを吸収し、削りくずが低減される。【選択図】図１
2006276096.tif 000002
【特許請求の範囲】
【請求項１】
円筒形状の電子写真用感光ドラム基体を保持する感光ドラム基体保持具であって、
平坦な載置面を有する台座と、
前記台座の載置面上に載置され、前記感光ドラム基体を、その軸が前記載置面に対し垂直になるように支持する支持柱と、
前記支持柱を、その軸を垂直に維持したまま前記載置面上の移動を所定量許容するよう保持し、台座に固定される保持部材と、
を有する、
ことを特徴とする感光ドラム基体保持具。
【請求項２】
請求項１に記載の感光ドラム基体保持具であって、
前記支持柱は、半径方向外側に向けて延び、前記台座の載置面に接し、当該支持柱を支持する複数の脚部を有し、
前記保持部材は、円環形状であり、前記支持柱の脚部を前記台座との間に保持する保持部と、前記支持柱の脚部を受け入れる受入部と、を有し、
前記支持柱の脚部を前記保持部材の前記受入部より挿入し、前記支持柱を回転させてその脚部を、前記保持部材の前記保持部に対向して位置させて、前記支持部が台座上に装着されることを特徴とする感光ドラム基体保持具。
【請求項３】
請求項２に記載の感光ドラム基体保持具であって、前記保持部材は、前記支持柱の脚部先端に対向する位置に対向面を有し、この対向面と脚部先端の間に間隙が設けられ、この間隙分、前記支持柱の前記の移動が許容されていることを特徴とする感光ドラム基体保持具。
【請求項４】
請求項３に記載の感光ドラム基体保持具であって、前記支持柱の脚部先端とこれに対向する前記保持部材の面の間隙は、０．５〜２．５ｍｍであることを特徴とする感光ドラム基体保持具。
【請求項５】
請求項１から４のいずれか１項に記載の感光ドラム基体保持具であって、
前記載置面より先端のボールの一部が突出し、当該ボールは背後よりばねにより付勢されているボールプランジャが、前記台座に備えられ、
前記支持柱を回転して装着する際に、その脚部が、ばねの付勢力に抗してボールを押し下げ、これを乗り越えて、前記保持部に対向する位置に至ることを特徴とする感光ドラム基体保持具。
【請求項６】
請求項１から５のいずれか１項に記載の感光ドラム基体保持具であって、前記支持柱の、前記台座または前記感光ドラム基体と接触する面はタフラム処理されていることを特徴とする感光ドラム基体保持具。
【発明の詳細な説明】
【技術分野】
【０００１】
本発明は、電子写真用の感光ドラムの製造過程において、感光ドラム基体を保持する保持具に関する。
【背景技術】
【０００２】
一般に、有機感光ドラムの製造方法は、現在、有機光導電性顔料を含む塗布液を、導電性支持体である感光ドラム基体上に塗布した後、これを乾燥させる方法が採用されている。この方法は、Ｓｅ等の光導電性材料を真空中で加熱蒸発して基体上に堆積させて感光ドラムを製造する蒸着法に比べて、連続生産が可能である等の利点を有している。特に、上記した塗布液を用いる方法で、感光ドラム基体上に形成した下引き層の上に、フタロシアニン系化合物、アゾ系化合物等の有機顔料の分散液を塗布し、これを乾燥させて電荷発生層を形成させ、さらにその上に、トリアリールアミン系化合物、ベンジジン系化合物、スチルベン系化合物、ヒドラゾン系化合物、ピラゾリン系化合物等を含むバインダ溶液を塗布し、これを乾燥させて電荷輸送層を形成する材料分離型の有機電子写真感光の連続製造方法は、その材料の選択が容易であることおよび生産経費が安価であること等の利点を有しているために広く実施されている。
【０００３】
上記した感光の連続製造方法においては、感光ドラム基体を搬送するために耐久性等に優れたステンレス鋼等の金属製パレットや樹脂製パレットが使用されている。パレットには、個々の感光ドラム基体を、その円筒内面に当接して支持する支持部が立設されている。しかしながら、感光ドラム基体のサイズは多種存在し、その生産ごとにサイズに対応した支持柱を有するパレットを用いる必要がある。このため、異なるサイズの感光ドラムに生産を変更する場合、パレットの交換に時間を要するという問題がある。この多種サイズ対応として支持部を機械的に開閉する機構を設ける技術が、下記特許文献１、２および３に記載されている。この方法は操作機構が複雑で製作コストが高い。
【０００４】
さらにパレットを支持部と台座とに分離可能とし、生産される感光ドラムに対応して支持部を交換する技術が、下記特許文献４に記載されている。この方法でも搬送中の振動等により支持部が脱落する可能性がある。また、支持部と台座部が分離しているため、支持部が所定位置よりずれて装着される場合があり、このようなときに感光ドラム基体を支持部に装着する際、ドラム基体の内周面のエッジと、支持部が擦れ、金属の削りくずが発生するという問題がある。削りくずは、塗布液に混入し、これが塗布された感光体ドラム表面に残留することがある。このような感光ドラムを用いて複写した画像は、白点や黒点が発生するという問題がある。
【０００５】
さらに、感光ドラム基体を支持部に挿入する際、ドラム基体と支持部の芯ズレを吸収する技術が下記特許文献５に記載されている。分離可能な支持部がスプリングを介して本体に支持されており、このスプリングの変形により水平方向の移動が許容されている。芯ズレが生じている場合であってもスプリングが変形して支持部が移動し、ズレが吸収される。
【０００６】
【特許文献１】特開平５−９４０２７号公報
【特許文献２】特開２０００−２４８５９号公報
【特許文献３】特開２０００−２５７６４号公報
【特許文献４】特開平５−３３７７７９号公報
【特許文献５】特開平６−１１０２６０号公報
【発明の開示】
【発明が解決しようとする課題】
【０００７】
感光ドラム基体を支持する支持部をスプリングで支持して水平方向に移動可能とし、芯ズレを許容した前記特許文献５に記載の装置においては、洗浄を行う際に、スプリング周辺の分解が煩雑であり、作業性が低下する。また、連続使用によってスプリング等の劣化が生じ、水平方向の移動の動作不良が発生し、芯ズレを吸収しきれないという問題がある。
【０００８】
本発明は、簡易な構成で、感光ドラム基体を支持部に装着する際に、これらの芯ズレを吸収できる構造を有する感光ドラム基体の保持具を提供することを目的とする。
【課題を解決するための手段】
【０００９】
本発明の感光体ドラム基体保持具は、平坦な載置面を有する台座と、台座の載置面上に載置され、感光ドラム基体を、その軸が載置面に対し垂直になるように支持する支持柱と、支持柱を、その軸を垂直に維持したまま載置面上の移動を所定量許容するよう保持し、台座に固定される保持部材とを有している。
【００１０】
支持柱の脚部が台座と保持部材の保持部の間の保持されることで、支持柱の上下方向の移動が規制され、一方水平方向の移動は所定量許容される。
【００１１】
そして、支持柱は、半径方向外側に向けて延び、台座の載置面に接し、当該支持柱を支持する複数の脚部を有し、一方、保持部材は、円環形状であり、支持柱の脚部を台座との間に保持する保持部と、支持柱の脚部を受け入れる受入部とを有している。支持柱の脚部を保持部材の受入部より挿入し、支持柱を回転させてその脚部を、保持部材の保持部に対向して位置させて、支持部が台座上に装着される。
【００１２】
支持柱は、その脚部を保持部材の受入部に合わせ、支持柱を軸周りに回転させて脚部を台座と保持部材の保持部の間に入り込ませるという簡易な操作で装着される。
【００１３】
保持部材は、更に支持柱の脚部先端に対向する位置に対向面を有し、この対向面と脚部先端の間に間隙が設けられ、この間隙分、支持柱の前記の移動が許容される。この間隙は、０．５〜２．５ｍｍ、すなわち直径で１〜５ｍｍとすることができる。
【００１４】
さらに、台座に、載置面より先端のボールの一部が突出し、当該ボールは背後よりばねにより付勢されているボールプランジャを備えるようにできる。支持柱の装着時には、その脚部が、ばねの付勢力に抗してボールを押し下げ、これを乗り越えて、保持部に至る。ボールプランジャにより支持柱が外れることが防止される。
【００１５】
さらに、支持柱の、台座、保持部材の保持部または感光ドラム基体と接触する面にタフラム処理することができる。タフラム処理により摩擦係数を低減させることができ、支持柱が、より滑らかに水平方向に移動するようにできる。
【発明の効果】
【００１６】
簡易な構成で、支持柱の、台座の載置面上の移動を許容するようにでき、支持柱に感光ドラム基体を装着する際の相互の芯ズレをこの移動により吸収できる。
【発明を実施するための最良の形態】
【００１７】
以下、本発明の実施形態を、図面に従って説明する。図１は、本実施形態の感光ドラム基体保持具（以下、保持具と記す）１０の構成を示す模式図であり、感光ドラム基体１２が保持された状態を示している。保持具１０は、台座１４と、台座１４の上面である載置面１６上に載置された支持柱１８と、支持柱１８を台座１４上に保持する保持リング２０を有する。感光ドラム基体１２は、その底面が支持柱の下部に半径方向外側に向けて設けられた下腕部２２上に載置されている。さらに、感光ドラム基体１２は、その内周面に、支持柱の中央部および上部に半径方向外側に向けて設けられた中腕部２４および上腕部２６の先端に当接されている。このようにして感光ドラム基体１２は支持柱１８に支持されている。
【００１８】
支持柱１８の最も下部には、脚部２８が設けられている。脚部２８は、図２に示されるように、互いに周方向に１２０度の間隔で、また半径方向外側に延びて設けられ、またその底面は台座の載置面１６に接して、支持柱１８を台座１４上に垂直に立設させている。前述の上腕部２６、中腕部２４および下腕部２２も、脚部２８と同様に周方向に１２０度間隔で設けられている。また、上腕部２６および中腕部２４のそれぞれの上面３２，３０は、上部が細くなるようにテーパ形状となっている。
【００１９】
保持リング２０は、脚部２８を台座１４との間に保持して、支持柱１８を台座１４上に保持している。図３は、保持リング２０を示す斜視図である。保持リング２０は、断面が略Ｌ字状であり、このＬ字を倒立させて台座１４に固定されている。Ｌ字の横方向の画にあたる部分は、保持リング２０の内側に向けて延びており、この部分が支持柱の脚部２８を台座１４との間に保持する保持部３４となる。保持部３４は、全周にわたって設けられているのではなく、周方向に１２０度の間隔で、保持部が設けられず、切りかかれた部分がある。この部分は、支持柱の脚部２８に対応して設けられており、脚部２８を上下方向に通すことができ、支持柱１８を装着する際に、脚部２８を台座１４に接するまで受け入れることができる。以降、この保持部３４が設けられていない部分を受入部３６と記す。支持柱１８の脚部２８と、保持リング２０の保持部３４および受入部３６の関係は、図２によく示されている。図２は、保持部３４に脚部２８が保持されている状態を示している。
【００２０】
図４は、図２に示すＡ−Ａ線の断面を展開した展開断面図である。図４に示されるように、保持リング２０は、ボルト３８により、台座１４に固定されている。より詳細に説明すれば、保持リング２０には、周方向１２０度間隔で３カ所にボルト穴４０が設けられている。このボルト穴４０を、ボルト３８は貫通して、台座１４まで達している。また、貫通したボルト３８の軸部は、脚部２８の反時計回りの回転（図４であれば、右方向の移動）を、この位置で止めるストッパとしても機能する。図４に示されるようにボルト３８の位置は、保持部３４の中心よりずれており（図４では右側）、このボルト位置と反対側の保持部３４の下側の位置には、台座１４にボールプランジャ４２が配置されている。ボールプランジャ４２は先端にボール４４を有し、ボール４４は背後よりばね４６で付勢されている。ボール４４は、台座の載置面１６より突出するように設けられ、ボールの上端と、保持部３４の下面との間隙は、脚部２８の上下方向の厚さより小さくなっている。ボールプランジャ４２は、ボールがこれ以上は突出しないように構成されている。装着された支持柱の脚部２８は、上下方向は保持部３４と台座１４の間に、また周方向においてはボルト３８とボールプランジャ４２の間に位置する。
【００２１】
各脚部２８の先端面４８と保持リング２０の内周面５０の間には隙間ｄが形成されている（図１参照）。これは、直径隙間では、２ｄに相当する。この隙間により、支持柱１８は、載置面１６上の移動が許容される。また、支持柱１８はアルミニウム合金で構成し、その表面に硬質アルマイトを施し、その多孔質の組織にフッ素樹脂を含浸させるタフラム処理を施すことができる。タフラム処理された表面は、ビッカース硬度で３８０から５１０と硬く、また摩擦係数も０．１と低く、耐摩耗性に優れている。また、耐熱性も高く、電気絶縁性も良好である。
【００２２】
なお、台座１４には、感光ドラム基体１２に塗布された塗布液を乾燥させる際、空気の流れをよくするために、通気口５２が設けられている。
【００２３】
支持柱１８を台座１４に装着するには、まず、支持柱１８の脚部２８を保持リング２０の受入部３６の位置に合わせ、ここから台座１４上に降下させる。次に、支持柱１８をその軸周りに反時計回りに回転させ、脚部２８を保持部３４の下に、すなわち保持部３４と台座１４の間に挿入する。この回転の初期において、脚部２８は、ボールプランジャ４２のボール４４に当接する。さらに支持柱１８を回転させると、ボール４４は、頂部を脚部２８に押され、ばね４６の付勢力に抗して押し下げられる。そして、脚部２８は、ボール４４を乗り越す。この状態で、支持柱１８に対し感光ドラム基体１２を取り付ける。具体的には、感光ドラム基体１２を支持柱１８の上方より降下させる。感光ドラム基体１２と支持柱１８の軸芯がずれていると、降下中の感光ドラム基体の底部が、一つ又は二つの上腕部２６の斜面となった上面３２に接触する。この接触により支持柱１８は横方向の分力を得て、台座の載置面１６上を滑って移動し、芯ズレを吸収する。感光ドラム基体１２を下腕部２２に当接するまで降下させて、感光ドラム基体１２の装着が終了する。感光ドラム基体１２を支持柱１８からはずすのも、支持柱１８を台座１４からはずすのも、前述した装着手順の逆の手順で行うことができる。
【００２４】
台座１４、支持柱１８、保持リング２０の材質は、例えばアルミニウム合金、ステンレス鋼などとすることができる。また、支持柱１８の腕部２２，２４，２６、脚部２８は、３方向に延びている例を示したが、支持柱１８自身を、また感光ドラム基体１２を適切に支持できるのであれば、２方向に延びるものでもよく、４方向以上に延びるものでもよい。また、上中下の各腕部、脚部２８の数も一致する必要はない。
【実施例】
【００２５】
台座１４は、形状を２００ｍｍ四方とし、材質を表面をアルマイト処理したアルミニウム合金とした。支持柱１８は、高さ６０ｍｍ、上腕部２６および中腕部２４の直径が２７．６ｍｍ、脚部の直径が４８ｍｍの、タフラム処理されたアルミニウム合金製とした。保持リング２０の内径は５１ｍｍで、支持柱は径方向に３ｍｍの移動が許容される。装着される感光ドラム基体１２は、直径３０ｍｍ、長さ２５３ｍｍのものとした。
【００２６】
保持具１０に感光ドラム基体１２を保持させた状態で、下引き層の塗布槽まで搬送した。その感光ドラム基体１２を、保持具から取り外して、ジルコニウム化合物（商品名：オルガチックスＺＣ５４０、マツモト製薬社製）１０質量部、シラン化合物（商品名：Ａ１１１０、日本ユニカー社製）１質量部、ｉ−プロパノール４０質量部およびブタノール２０質量部からなる塗布液中に２５℃で２分間浸漬塗布した後、これを取り出して再度保持具１０に保持させて１５０℃で１０分間加熱乾燥し、膜厚０．５μｍの下引き層を形成させた。次いで、上記の処理をした感光ドラム基体１２を、電荷発生層の塗布槽まで搬送し、クロロガリウムフタロシアニン結晶１質量部をポリビニルブチラール樹脂（商品名：エスレックＢＭ−Ｓ、積水化学社製）１質量部および酢酸ｎ−ブチル１００質量部と混合し、ガラスビーズとともにペイントシェーカーで１時間分散処理させて得た塗布液中に２５℃で２分間浸漬塗布した後、これを取り出して保持具１０に保持させて１００℃で１０分間加熱乾燥し、上記下引き層の上に、膜厚０．１５μｍの電荷発生層を形成させた。
【００２７】
さらに、上記処理をした感光ドラム基体１２を、電荷輸送層の塗布槽まで搬送し、ポリカーボネート樹脂（ＰＣＺ−３００、三菱ガス化学社製）３質量部および下記構造式（１）に示すトリフェニルアミン誘導体２質量部を、モノクロルベンゼン２０質量部に溶解して得られた塗布液中に２５℃で３分間浸漬塗布して後、これを取り出して保持具１０に保持させて１２０℃において１時間加熱乾燥し、膜厚２０μｍの電荷輸送層を形成させた。
【化１】
2006276096.tif 000003
【００２８】
上記で得られた電子写真用感光体（感光ドラム）を、パーソナルコンピュータ用プリンタ（商品名：ＰＲ１０００、日本電気社製）に装着し、印字テストを実施したところ、白点および黒点等の発生はなく、優れた画像が得られた。
【００２９】
比較例１として、支持柱１８を台座１４に固定して、上記実施例１と同様にして、電子写真用感光体を得た。得られた電子写真感光体について、同様に印字テストを実施したところ、黒点が発生しており、黒点発生部に対応する感光体表面を観察すると金属片が見られた。
【００３０】
実施例２として、実施例１に対して、保持リング２０の内径、または脚部２８の直径を調整して、直径隙間を１ｍｍにして、実施例１と同様にして電子写真用感光体を作製し、評価を行った。白点および黒点の発生はなかった。
【００３１】
実施例３として、実施例１に対して、保持リング２０の内径、または脚部２８の直径を調整して、直径隙間を５ｍｍにして、実施例１と同様にして電子写真用感光体を作製し、評価を行った。白点および黒点の発生はなかった。
【００３２】
以上の実施例、比較例の評価結果を図５にまとめた。
【図面の簡単な説明】
【００３３】
【図１】本実施形態の感光ドラム基体保持具および感光ドラム基体の概略構成を示す図である。
【図２】保持具の支持柱１８および保持リング２０の関係を示す概略平面図である。
【図３】保持リング２０を示す斜視図である。
【図４】図２のＡ−Ａ線による展開断面図である。
【図５】実施例、比較例の結果を示す図である。
【符号の説明】
【００３４】
１０  （感光ドラム基体）保持具、１２  感光ドラム基体、１４  台座、１６  載置面、１８  支持柱、２０  保持リング、２８  脚部、３４  保持部、３６  受入部、３８  ボルト、４２  ボールプランジャ、４８  脚部先端面、５０  保持リング内周面。
【図１】
2006276096.tif 000004
【図２】
2006276096.tif 000005
【図３】
2006276096.tif 000006
【図４】
2006276096.tif 000007
【図５】
2006276096.tif 000008